(57)【特許請求の範囲】
【請求項１】
浮力調節が可能な釣り浮子において、
釣り糸と浮子とを連結する連結部(3)と、浮力を持つ材質から成る浮子本体(1)と、浮子本体(1)の上端に挿入及び結合される、浮力がなく、直径を最大に小さくした浮子トップ(2)と、 下部が開放されるように形成され、浮子トップ(2)の上部が挿入及び結合され、側面の一側に溝(51)を有し、釣り餌の重さの支持が可能な浮力を持つハウジング(5)と、ハウジング(5)の内部に結合が可能であり、昇降する時、内部の空間に空気が流入され、浮力が調節され、挿入ホール(62)を備える昇降作動体(6)と、を含む、釣り餌の毀損及び離脱可否の確認が即時に可能な浮力調節体が空気中に位置する浮力調節浮子。
【請求項２】
下部が開放されるように形成され、浮子トップ(2)の上部が挿入及び結合され、側面の一側に溝(41)を有する固定キャップ(4)をさらに含み、
前記固定キャップ(4)は、前記固定キャップ(4)の溝(41)とハウジング(5)の溝(51)によって、前記ハウジング(5)と脱着できるように結合されることを特徴とする請求項１記載の浮力調節体が空気中に位置する浮力調節浮子。
【請求項３】
ハウジング(5)は、多様な釣り餌の重さに対応し、浮子が水中に沈降しないように支持し、同時に浮子に視認が可能とする、模様と嵩の大きさが多様な複数で形成されることを特徴とする請求項１記載の浮力調節体が空気中に位置する浮力調節浮子。
【請求項４】
前記"釣り餌の毀損及び離脱可否"とは、浮子本体(1)の浮力と、浮子全体の重さにオモリ、釣り針、よりもどしなどの釣り時の水の中に位置する釣り餌を除く用品全体の重さを足した総重さがバランスをとり、浮子トップ(2)の下端の末端が水面に位置できるように規格化すると、小さな重さの釣り餌の付着にも浮子トップ(2)が沈降され、ハウジング(5)や昇降作動体(6)が水面でバランスをとり、釣り餌の重さを支持し、釣り餌の毀損及び離脱の時には、即時に浮子トップ(2)が上昇され、浮子トップ(2)の下端の末端が水面に位置するようになり、浮子トップ(2)の高低によって釣り餌の毀損及び離脱の可否が分かるようになることを意味することを特徴とする請求項１記載の浮力調節体が空気中に位置する浮力調節浮子。
【請求項５】
前記昇降作動体(6)の挿入ホール(62)に挿入され、内部の空間に空気が流入され、浮力を調節し、浮子に視認を可能にする発光体(7)をさらに含むことを特徴とする請求項１記載の浮力調節体が空気中に位置する浮力調節浮子。
【請求項６】
前記浮子トップ(2)と前記ハウジング(5)とが一体に成形されていることを特徴とする請求項１記載の浮力調節体が空気中に位置する浮力調節浮子。
【発明の詳細な説明】
【技術分野】
【０００１】
本発明は、釣りの時、オモリの加減がなく、浮力調節が可能で、浮子本体部の変更がなく、浮力調節体を一々釣り糸に付着する不便がなく、浮力調節体が水中に位置するために発生する水中での水の抵抗を減らし、釣り餌の毀損及び離脱の可否も分かる、浮力調節体が空気中に位置する浮力調節浮子に関する。
【背景技術】
【０００２】
一般的に浮子は、浮力調節機能がないため、浮力を調節するためにオモリの重さを増減しなければならないが、鑞オモリの場合、使用が禁止されているため、浮力調節が可能な良い手段がなくなっている。このような問題点を解決する為に、浮子本体部の嵩を直接増やすか又は、浮子本体部の上部や釣り糸に浮力調節が可能な浮力調節体を付着した後、空気中で浮力を増減させることができ、釣りの時、浮力調節体の全部が水中に位置する従来の浮力調節方式が発明された。
しかし、このような方式は、釣りの時、浮力調節体が水中に位置するようになるため、空気中にいる場合より水の抵抗が大きくなる。
【先行技術文献】
【特許文献】
【０００３】
【特許文献１】韓国特許出願番号  第10-2006-0020857号
【発明の概要】
【発明が解決しようとする課題】
【０００４】
本発明は、前記のような問題点を解決する為に、釣りをする人の便宜を増大する為のものであり、釣り浮子の浮力を調節するための浮子本体部の変形がなく、別途各々の釣り糸に浮力調節体を付着する不便がなく、水中で発生する水の抵抗を減らし、釣り餌の毀損及び離脱の可否まで分かる、浮力調節が可能な釣り浮子を提供する事を目的とする。
【課題を解決するための手段】
【０００５】
本発明による浮力調節体が空気中に位置する浮力調節浮子、釣り糸と浮子とを連結する連結部(3)と、浮力を持つ材質から成る浮子本体(1)と、浮子本体(1)の上端に挿入、結合される、浮力がなく、直径を最大に小さくした浮子トップ(2)と、下部が開放されるように形成され、浮子トップ(2)の上部が挿入及び結合され、側面の一側に溝(51)を有し、釣り餌の重さの支持が可能な浮力を持つハウジング(5)と、ハウジング(5)の内部に結合が可能であり、昇降する時、内部の空間に空気が流入され、浮力が調節され、挿入ホール(62)を備える昇降作動体(6)から成る。また、本発明は、下部が開放されるように形成され、浮子トップ(2)の上部が挿入及び結合され、側面の一側に溝(41)を有する固定キャップ(4)をさらに含み、前記固定キャップ(4)は、前記固定キャップ(4)の溝(41)とハウジング(5)の溝(51)によって、前記ハウジング(5)と脱着できるように結合される。
【発明の効果】
【０００６】
オモリの加減が必要ない為、親環境的である。
浮力調節が可能であるため、多様な技法の釣り方法が可能である。
【０００７】
釣りの時、釣り餌重さを除いて、浮子本体の浮力と、浮子の全体重さに水中で重さを持つ用品の重さを足す総重さが、一定部位でバランスをとるように規格化が可能である。
【０００８】
釣りの時、浮力調節体が水中で位置する従来の浮力調節浮子に対して水中での水の抵抗が小さい。
釣り餌の毀損や離脱の可否を即時に分かるようになる。 
【図面の簡単な説明】
【０００９】
【図１】図１は、本発明による浮力調節が可能な釣り浮子を図示した図面である。
【図２】図２は、本発明による浮力調節が可能な釣り浮子の要部を切開して図示した図面である。
【図３】図３は、本発明による浮力調節が可能な釣り浮子を図示した断面図である。
【図４】図４は、図３のA部の拡大図である。
【図５】図５は、本発明による浮力調節が可能なまた他の釣り浮子を表す図面である。
【発明を実施するための形態】
【００１０】
本発明による浮力調節体が空気中に位置する浮力調節浮子、釣り糸と浮子とを連結する連結部(3)と、浮力を持つ材質から成る浮子本体(1)と、浮子本体(1)の上端に挿入、結合される、浮力がなく、直径を最大に小さくした浮子トップ(2)と、下部が開放されるように形成され、浮子トップ(2)の上部が挿入及び結合され、側面の一側に溝(51)を有し、釣り餌の重さの支持が可能な浮力を持つハウジング(5)と、ハウジング(5)の内部に結合が可能であり、昇降する時、内部の空間に空気が流入され、浮力が調節され、挿入ホール(62)を備える昇降作動体(6)から成る。また、本発明は、下部が開放されるように形成され、浮子トップ(2)の上部が挿入及び結合され、側面の一側に溝(41)を有する固定キャップ(4)をさらに含み、前記固定キャップ(4)は、前記固定キャップ(4)の溝(41)とハウジング(5)の溝(51)によって、前記ハウジング(5)と脱着できるように結合される。
【００１１】
連結部(3)は、釣りの場所及び技法によって浮子足形、輪形などの形態をもち、浮子本体(1)は、浮子本体(1)の浮力と、浮子全体の重さにオモリ、釣り針、よりもどし、釣りの時、浮力に影響を与える釣り餌を除く用品全体の重さを足す総重さがバランスをとり、浮子トップ(2)の下端の末端が水面に位置できるようにし、小さい重さの釣り餌の付着にも浮子トップ(2)が沈降され、釣り餌の毀損及び離脱の場合には、即時に浮子トップ(2)が上昇できるように規格化する。
【００１２】
浮子トップは、浮力がなく、直径を最大に小さく形成したものであり、下部が浮子本体の上部に一体形または組み立て式で結合され形成される。浮子トップの上部は、ハウジング(5)の下部に一体系で成形されるかまたは固定キャップ(4)を利用して脱着及び交替可能に形成できる。固定キャップ(4)は、多少硬い材質であり、下部は空間があるようにし、前記浮子トップ(2)の上部に挿入、結合され、残りの部分の一側に溝(41)が形成され、前記ハウジング(5)の溝(51)と脱着でき、多様な大きさのハウジング(5)がすぐに離脱できる事を防止する機能がある。
【００１３】
他の方法において、前記固定キャップ(4)の溝(41)とハウジング(5)の溝(51)の代わりに、前記固定キャップ(4)の外部一側に雄ねじを形成し、これに対応するハウジング(5)の一側に雌ねじを形成させ、これらの締結でハウジング(5)の離脱を防止する方法も可能である。
【００１４】
前記ハウジング(5)は、下部が浮子トップ(2)と一体系で成形されるか浮子トップ(2)の上部に付着した固定キャップに結合して固定できる。すなわち、ハウジング(5)は、固定キャップ(4)の溝(41)と下端部に形成された溝(52)が、互いに脱着可能に形成され、交替が可能である。ハウジング(5)の上端部は、昇降作動体(6)の挿入が可能になるように入り口の開放が可能であり、下部と縁は、閉鎖して水の侵入を防止し、内部は、昇降作動体(6)が結合され、昇降が可能となるように空間を形成し、上端部には、昇降作動体(6)の引掛かり突起(61)が掛かり、昇降作動体(6)が外部に離脱しないように引掛かり突出部(52)を形成し、内部の長さは、昇降作動体(6)の握り片(63)の底面からの長さと同じくし、内部の直径は、昇降作動体(6)の直径と同じくし、模様と嵩の大きさが多様な複数で形成する。ハウジング(5)は、釣り餌の重さによって浮子の上部が水の中に沈降されることに対して支持可能な浮力を持つ材質や形態を持つ。ハウジング(5)の上端部には発光体(7)が挿入され、結合される。
【００１５】
前記昇降作動体(6)は、前記ハウジング(5)の内部に挿入、結合されるように円筒形の棒携帯で、多少硬い材質で形成され、下端部の外側には、突出された引掛かり突起(61)が形成され、ハウジング(5)の内部の引掛かり突起(52)と結合され、離脱が防止されるように形成され、内部は、空間を形成し、縁は、閉鎖できるように形成し、中央には、発光体(7)を挿入する為の挿入ホール(62)を形成する。
【００１６】
前記挿入ホール(62)は、入り口が開放され、内部は、空間を形成し、縁は、閉鎖された円筒形で形成され、内部直径は、発光体(7)の直径と同一で、長さは、発光体(7)の長さより多少小さくし、発光体(7)の上部が、昇降作動体(6)の上端部より突出されるようにすることで、発光体(7)の視認が可能とする。
【００１７】
昇降作動体(6)の昇降時、発生するハウジング(5)内部の真空現象と空気圧の解消は、昇降作動体(6)の下端部と上端部の挿入ホール(62)の側面に貫通ホール(64)と貫通ホール(65)を各々一つずつ微細に形成し、外部と昇降作動体(6)の内部を経由したハウジング(5)との空気の出入りが可能とすることで解決し、発光体(7)の挿入時発生する空気圧の解消は、挿入ホール(62)下端部に微細な貫通ホール(71)を形成し、昇降作動体(6)の内部と空気疎通が可能と形成することで解決する。
【００１８】
前記固定キャップ(4)、ハウジング(5)、昇降作動体(6)は、浮子トップ(2)の上部に設置され、ゴムまたはプラスチック材質からなることが好ましいが、他材料に代替可能であり、浮子本体(1)、浮子トップ(2)、連結部(3)の部位は、各部位の特性に合わせて自由に製作が可能である。
[具体的な実施方法]
【００１９】
まず、浮子トップ上部に結合されているハウジング(5)の浮力が釣り餌の重さより小さいと思われると、昇降作動体の昇降を利用する方法と、固定キャップ(4)に結合されているハウジング(5)を嵩が大きい順から交替して付着し、浮力を増加させる方法、及びその２つの方法を同時に使用する方法などで浮力を調節し、逆に大きいと思われると、ハウジング(5)の嵩が小さい順から交替して付着し、適切な釣り餌重さの支持と同時に浮子の視認が可能となる。
【００２０】
前記のように適切に浮力を調節したあと、浮子トップ(2)の下端の末端部分が水面に位置できるように規格化された浮子に、釣り餌を付着すると、浮子トップ(2)の部位に浮力がないため、浮子トップ(2)の部位は、釣り餌の重さによって水の中に即時に沈降するが、空気中に位置する浮力調節体(ハウジング、昇降作動体)の浮力が、釣り餌重さによる水の中に沈降しようとする力を支持し、釣り餌の重さと浮力調節体の浮力とが水面でバランスをとり、同時に浮子の視認が可能となる。
【００２１】
その後、魚が釣り餌を離脱させると、釣り餌の重さによって沈降していた浮子トップ(2)が水面の上に即時に上昇し、規格化された元の状態に復旧されるため、浮子トップ(2)の上昇可否の確認で、釣り餌の毀損や離脱を即時に確認でき、浮力調節が可能となり、水の抵抗も小さく、釣り餌の毀損及び離脱の可否の確認が可能な釣りの実施が可能となる。
【００２２】
本発明は、添付した図面を参照して好もしい実施例を中心に記載されているが、同業者であればこのような記載から本発明の範囲を越えない範囲で多くの多様な変更が可能である。したがって、本発明の範囲は、このような多くの変更を含むように記述された請求範囲によって解釈される。
【符号の説明】
【００２３】
1 : 浮子本体
2 : 浮子トップ
3 : 連結部
4 : 固定キャップ
41 : 溝
5 : ハウジング
51 :溝
52 : 引掛かり突出部
6 : 昇降作動体
61 : 引掛かり突起
62 : 挿入ホール
63 : 握り片
64 : 貫通ホール
65 : 貫通ホール
7 : 発光体
71: 貫通ホール
A : 浮力調節体(ハウジング、昇降作動体)
【図１】
0005889482.tif 000002
【図２】
0005889482.tif 000003
【図３】
0005889482.tif 000004
【図４】
0005889482.tif 000005
【図５】
0005889482.tif 000006